(57)【要約】【課題】縁部材の素材・形状を変化に富んだものとする。【解決手段】前側の縁部材７とそれに溶接された左右の縁部材７とからなる縁材ユニットの上壁１５の下に、縁材ユニットに沿う細帯状のパッキン材２０を当てる。なお、パッキン材２０にはねじ棒１９が嵌まる貫通孔２１が形成されている。その後、補強縁材１３（天板本体６の縁部）に形成された上下方向に貫通する上下の貫通孔２２にねじ棒１９を嵌める。その後、ねじ棒１９の、下側の貫通孔２２より突出した下端部にナット２３をねじ嵌めて締め付ける。前記ナット２３の締め付けにより、天板本体６の縁部に載せられた内側の縁部１５ｂが天板本体６の縁部に強く当接する。【選択図】  図２
2004187888.tif 000002
【特許請求の範囲】
【請求項１】
天板本体と、天板本体の縁部に取り付けられた縁部材とを有し、前記縁部材が、内側の縁部が天板本体の縁部に載せられた上壁と、上壁の外側縁に下向きに連設された垂れ壁とを有し、前記上壁の下面に直接又は間接にねじ棒が垂下状に設けられ、このねじ棒が天板本体の縁部に形成された上下方向に貫通する貫通孔に嵌め通され、ねじ棒の、貫通孔より突出した下端部にナットがねじ嵌められて、上壁の内側の縁部が天板本体の縁部に当接するようになされている厨房キャビネットの天板構造。
【請求項２】
天板本体と、天板本体の縁部に取り付けられた縁部材とを有し、前記縁部材が、内側の縁部が天板本体の縁部に載せられた上壁と、上壁の外側縁に下向きに連設された垂れ壁とを有し、前記上壁の下面に直接又は間接に下方に開放したねじ孔を有する部材が設けられ、このねじ孔に、その下方に位置する天板本体の縁部に形成された上下方向に貫通する貫通孔を通じて下方からねじがねじ嵌められて、上壁の内側の縁部が天板本体の縁部に当接するようになされている厨房キャビネットの天板構造。
【請求項３】
天板本体と、天板本体の縁部に取り付けられた縁部材とを有し、前記縁部材が、内側の縁部が天板本体の縁部に載せられた上壁と、上壁の外側縁に下向きに連設された垂れ壁と、上壁の下方に位置する補強壁とを有し、前記補強壁に軸心を上下方向に向けたねじ孔が形成され、このねじ孔にその下方に位置する天板本体の縁部に形成された上下方向に貫通する貫通孔を通じて下方からねじがねじ嵌められて、上壁の内側の縁部が天板本体の縁部に当接するようになされている厨房キャビネットの天板構造。
【請求項４】
天板本体と、天板本体の縁部に取り付けられた縁部材とを有し、前記縁部材が、内側の縁部が天板本体の縁部に載せられた上壁と、上壁の外側縁に下向きに連設された垂れ壁とを有し、前記上壁又は垂れ壁の少なくとも一方に木製部材が上壁下方に位置するようにして固定され、この木製部材に、その下方に位置する天板本体の縁部に形成された上下方向に貫通する貫通孔を通じて下方からねじがねじ嵌められて、上壁の内側の縁部が天板本体の縁部に当接するようになされている厨房キャビネットの天板構造。
【発明の詳細な説明】
【０００１】
【発明の属する技術分野】
本発明は、流し台、ガス台、調理台等の厨房キャビネットの天板構造に関する。
【０００２】
【従来の技術】
従来、この種の天板として以下の如きものは知られている。
作業面等を有する天板本体と、この天板本体の縁部に連設された縁部材（天板本体の上面より隆起した部分を有しており、水返し機能を有するもの）とを有するものは知られている（参考文献：特開平１１−２８，１２９号公報）。
【０００３】
【従来技術の欠点】
前記従来の天板には以下の如き欠点があった。
縁部材が天板本体に一体形成されたものであったため、換言すれば、天板本体の成形と同時に縁部材を成形せざるを得なかったので、天板自体の製造が困難で、且つ縁部材の素材・形状を変化に富んだものとすることが出来ないとい欠点があった。
【０００４】
【前記欠点を解消するための手段】
本発明は前記欠点を解消するために以下の如き手段を採用した。
▲１▼請求項１の発明は、天板本体と、天板本体の縁部に取り付けられた縁部材とを有し、前記縁部材が、内側の縁部が天板本体の縁部に載せられた上壁と、上壁の外側縁に下向きに連設された垂れ壁とを有し、前記上壁の下面に直接又は間接にねじ棒が垂下状に設けられ、このねじ棒が天板本体の縁部に形成された上下方向に貫通する貫通孔に嵌め通され、ねじ棒の、貫通孔より突出した下端部にナットがねじ嵌められて、上壁の内側の縁部が天板本体の縁部に当接するようになされているものである。
▲２▼請求項２の発明は、天板本体と、天板本体の縁部に取り付けられた縁部材とを有し、前記縁部材が、内側の縁部が天板本体の縁部に載せられた上壁と、上壁の外側縁に下向きに連設された垂れ壁とを有し、前記上壁の下面に直接又は間接に下方に開放したねじ孔を有する部材が設けられ、このねじ孔に、その下方に位置する天板本体の縁部に形成された上下方向に貫通する貫通孔を通じて下方からねじがねじ嵌められて、上壁の内側の縁部が天板本体の縁部に当接するようになされているものである。
▲３▼請求項３の発明は、天板本体と、天板本体の縁部に取り付けられた縁部材とを有し、前記縁部材が、内側の縁部が天板本体の縁部に載せられた上壁と、上壁の外側縁に下向きに連設された垂れ壁と、上壁の下方に位置する補強壁とを有し、前記補強壁に軸心を上下方向に向けたねじ孔が形成され、このねじ孔にその下方に位置する天板本体の縁部に形成された上下方向に貫通する貫通孔を通じて下方からねじがねじ嵌められて、上壁の内側の縁部が天板本体の縁部に当接するようになされているものである。
▲４▼請求項４の発明は、天板本体と、天板本体の縁部に取り付けられた縁部材とを有し、前記縁部材が、内側の縁部が天板本体の縁部に載せられた上壁と、上壁の外側縁に下向きに連設された垂れ壁とを有し、前記上壁又は垂れ壁の少なくとも一方に木製部材が上壁下方に位置するようにして固定され、この木製部材に、その下方に位置する天板本体の縁部に形成された上下方向に貫通する貫通孔を通じて下方からねじがねじ嵌められて、上壁の内側の縁部が天板本体の縁部に当接するようになされているものである。
【０００５】
【発明の効果】
本発明は前記した如き構成によって以下の如き効果を奏する。
請求項１〜４の発明によれば、天板本体と縁部材とを別個・独立に製造することが出来るので、天板自体の製造が容易となり、また、縁部材の素材・形状を変化に富んだものとすることが出来る。また、ナット又はねじの締め付けにより上壁の内側の縁部が天板本体の縁部に当接するようになされているので、縁部材を天板本体の縁部に強固に固定することが出来る。
【０００６】
【発明の実施の形態】
以下に、５つの発明の実施の形態を説明する。
なお、これらの説明において同一の部材は同一の符号で示す。
【０００７】
［第１の実施の形態］（図１〜図３参照）
なお、この説明において、前とは図１下側を、後とは同図上側をいい、左とは図１左側を、右とは同図右側をいう。
【０００８】
システムキッチン１は、上面開放のキャビネット本体３と、このキャビネット本体３の上部に設けられた天板５とを有している。
【０００９】
前記天板５は、金属製の天板本体６と、この天板本体６の前縁部及び左右縁部に取り付けられた金属製の縁部材７とを有している。前側の縁部材７と左右の縁部材７とは溶接等により連結されている。
【００１０】
前記天板本体６は、後部のバックガード９、水槽１０等を有しており、天板本体６の下面には補強板１２が取り付けられている。天板本体６の前縁及び左右縁に断面矩形の補強縁材１３が設けられている。
【００１１】
前記縁部材７は、内側の縁部が天板本体６の縁部に載るようになされた上壁１５と、上壁１５の外側縁に下向きに連設された垂れ壁１６と、垂れ壁１６に連設された上壁１５の下方に位置する補強壁１７とを有している。前記上壁１５は、上壁本体１５ａと、上壁本体１５ａの内縁に連設された、天板本体６の縁部に載る内側の縁部１５ｂとを有している。上壁１５の下面に、直接又は間接に、その長手方向に沿って所定間隔で、軸心を上下方向に向けたねじ棒１９が垂下状に設けられている。
【００１２】
前記縁部材７は以下のようにして補強縁材１３（天板本体６）に取り付けられている。
前側の縁部材７とそれに溶接された左右の縁部材７とからなる縁材ユニットの上壁１５の下に、縁材ユニットに沿う細帯状のパッキン材２０を当てる。なお、パッキン材２０にはねじ棒１９が嵌まる貫通孔２１が形成されている。その後、補強縁材１３（天板本体６の縁部）に形成された上下方向に貫通する上下の貫通孔２２にねじ棒１９を嵌める。その後、ねじ棒１９の、下側の貫通孔２２より突出した下端部にナット２３をねじ嵌めて締め付ける。前記ナット２３の締め付けにより、天板本体６の縁部に載せられた内側の縁部１５ｂが天板本体６の縁部に強く当接する。
なお、パッキン材２０を使用せずに、縁材ユニットを天板本体６に取り付ける場合もある。
【００１３】
［第２の実施の形態］（図４参照）
なお、この説明において、前とは図４右側を、後とは同図左側をいい、左とは図４の紙面表側を、右とは同裏側をいう。
天板本体６の前縁及び左右縁には断面Ｌ字状の補強縁材１３が設けられている。内側の縁部１５ｂと天板本体６の縁部との間にはパッキン２６が介在されている。また、左右の縁部材７の後端縁と天板本体６との間にもパッキン（図示略）が介在されている。
【００１４】
［第３の実施の形態］（図５参照）
なお、この図において、前は図５右側、後は同図左側であり、左は図５の紙面表側、右は同裏側である。
上壁１５に直接又は間接に下方に開放したねじ孔を有する部材２８が、上壁１５の長手方向に沿って所定間隔で設けられ、これらねじ孔を有する部材２８に、ねじ孔を有する部材２８の下方に位置する、補強縁材１３の水平部（天板本体６の縁部）に形成された上下方向に貫通する貫通孔２２を通じて下方からねじ２９がねじ嵌められて、天板本体６の縁部に載せられた内側の縁部１５ａが天板本体６の縁部に当接するようになされている。
【００１５】
［第４の実施の形態］（図６参照）
なお、この図において、前は図６右側、後は同図左側であり、左は図６の紙面表側、右は同裏側である。
補強壁１７の水平部に、その長手方向に沿って所定間隔で軸心を上下方向に向けたねじ孔３１が形成され、これらねじ孔３１に、ねじ孔３１の下方に位置する、補強縁材１３の水平部（天板本体６の縁部）に形成された上下方向に貫通する貫通孔２２を通じて下方からねじ２９がねじ嵌められて、天板本体６の縁部に載せられた内側の縁部１５ａが天板本体６の縁部に当接するようになされている。
【００１６】
［第５の実施の形態］（図７参照）
なお、この図において、前は図７右側、後は同図左側であり、左は図７の紙面表側、右は同裏側である。
上壁１５又は垂れ壁１６の少なくとも一方に木製部材３３が上壁１５の下方に位置するようにして固定され、この木製部材３３に、木製部材３３の下方に位置する、補強縁材１３の水平部（天板本体６の縁部）に形成された上下方向に貫通する貫通孔２２を通じて下方からねじ２９がねじ嵌められて、天板本体６の縁部に載せられた内側の縁部１５ａが天板本体６の縁部に当接するようになされている。
【００１７】
【変形例等】
以下に変形例等について説明を加える。
（１）天板本体６及び縁部材７の素材は任意である。
（２）内側の縁部１５ｂの断面形状は任意である。
【図面の簡単な説明】
【図１】本発明の第１の実施の形態を示す中間省略の平面図である。
【図２】図１のＩＩ−ＩＩ線拡大断面図である。
【図３】図１のＩＩＩ−ＩＩＩ線拡大断面図である。
【図４】本発明の第２の実施の形態を示す前部の断面図である。
【図５】本発明の第３の実施の形態を示す前部の断面図である。
【図６】本発明の第４の実施の形態を示す前部の断面図である。
【図７】本発明の第５の実施の形態を示す前部の断面図である。
【符号の説明】
５  天板
６  天板本体
７  縁部材
１５  上壁
１５ａ  上壁本体
１５ｂ  内側の縁部
１６  垂れ壁
１９  ねじ棒
２３  ナット
【図１】
2004187888.tif 000003
【図２】
2004187888.tif 000004
【図３】
2004187888.tif 000005
【図４】
2004187888.tif 000006
【図５】
2004187888.tif 000007
【図６】
2004187888.tif 000008
【図７】
2004187888.tif 000009